(57)【要約】【課題】ビデオライトモード時の消費電力を削減し、最適な輝度設定を行うことができる撮像装置を提供する。【解決手段】制御マイコン１０は、ビデオライトモードＯＮ信号により、ＬＣＤドライブ回路１３を制御し、液晶パネル５を全白表示に切り替える（Ｓ２）。ビデオライトモード時、制御マイコン１０は、カメラ制御マイコン１６からＡＧＣ制御情報およびアイリス制御情報を取得する（Ｓ３）。制御マイコン１０は、取得したＡＧＣ制御情報およびアイリス制御情報を基に、電源回路１２を制御し、バックライト３の輝度を可変させる（Ｓ４）。すなわち、制御マイコン１０は、被写体が明るい場合、バックライト３の輝度を低下させ、被写体が暗い場合、バックライト３の輝度を上げる制御を行う。【選択図】図３
2009124564.tif 000002
【特許請求の範囲】
【請求項１】
被写体を撮像する撮像装置であって、
前記撮像された被写体の映像表示あるいは全白表示を行う表示手段と、
前記表示手段をビデオライトとして使用するためのビデオライトモードを選択する選択手段と、
前記ビデオライトモードが選択された場合、前記表示手段を全白表示に切り替える表示制御手段と、
前記表示手段の輝度を調節する輝度調節手段と、
前記被写体の輝度に関する情報に基づき、前記輝度調節手段を制御し、前記全白表示が行われている前記表示手段の輝度を変更させる輝度制御手段とを備えたことを特徴とする撮像装置。
【請求項２】
映像信号を処理する信号処理回路内に設けられ、前記信号処理回路で検出された明るさの信号に応じて、前記映像信号を増幅する際の利得を制御する利得制御回路を備え、
前記輝度制御手段は、前記利得の制御情報に基づき、前記輝度調節手段を制御し、前記全白表示が行われている前記表示手段の輝度を変更させることを特徴とする請求項１記載の撮像装置。
【請求項３】
前記輝度制御手段は、前記利得制御回路によって制御される前記利得が所定範囲内の値となるように、前記輝度調節手段を制御することを特徴とする請求項２記載の撮像装置。
【請求項４】
レンズを介して入射される前記被写体の光の光量を調節する絞りと、前記絞りによって光量が調節された前記被写体の映像信号の輝度信号が基準の輝度信号となるように、前記絞りを制御する絞り制御手段とを備え、
前記輝度制御手段は、前記絞りの制御情報に基づき、前記輝度調節手段を制御し、前記全白表示が行われている前記表示手段の輝度を変更させることを特徴とする請求項１記載の撮像装置。
【請求項５】
前記輝度制御手段は、前記絞り制御手段によって制御される前記絞りの量が所定範囲内の値となるように、前記輝度調節手段を制御することを特徴とする請求項４記載の撮像装置。
【請求項６】
映像信号を処理する信号処理回路内に設けられ、前記信号処理回路で検出された明るさの信号に基づき、前記映像信号を増幅する際の利得を制御する利得制御回路と、
レンズを介して入射される前記被写体の光の光量を調節する絞りと、前記絞りによって光量が調節された前記被写体の映像信号の輝度信号が基準の輝度信号となるように、前記絞りを制御する絞り制御手段とを備え、
前記輝度制御手段は、前記利得の制御情報および前記絞りの制御情報に基づき、前記輝度調節手段を制御し、前記全白表示が行われている前記表示手段の輝度を変更させることを特徴とする請求項１記載の撮像装置。
【請求項７】
前記表示手段は、バックライトを有する液晶パネルであり、
前記輝度調節手段は、前記バックライトの輝度を調節することを特徴とする請求項１乃至６のいずれかに記載の撮像装置。
【請求項８】
被写体を撮像する撮像装置の表示制御方法であって、
前記撮像装置の表示手段が、前記撮像された被写体の映像表示あるいは全白表示を行う表示ステップと、
前記撮像装置の選択手段が、前記表示手段をビデオライトとして使用するためのビデオライトモードを選択する選択ステップと、
前記撮像装置の表示制御手段が、前記ビデオライトモードが選択された場合、前記表示手段を全白表示に切り替える表示制御ステップと、
前記撮像装置の輝度調節手段が、前記表示手段の輝度を調節する輝度調節ステップと、
前記撮像装置の輝度制御手段が、前記被写体の輝度に関する情報を基に、前記輝度調節手段を制御し、前記全白表示が行われている前記表示手段の輝度を変更させる輝度制御ステップとを有することを特徴とする表示制御方法。
【発明の詳細な説明】
【技術分野】
【０００１】
本発明は、被写体を撮像する撮像装置及びその表示制御方法に関する。
【背景技術】
【０００２】
従来、各種カメラにおいて、被写体に対する照明光源として、内蔵ライトや、カメラ本体に対して着脱自在に設けられた外付けライトである外部照明等が一般的に用いられている。また、液晶パネルを全白にしてその光を被写体に向けることで、ビデオライトとして使用することが知られている（特許文献１参照）。
【０００３】
図５は従来の撮像装置の一例としてビデオカメラの外観を示す斜視図である。ビデオカメラ１１０は、カメラ本体１１２の前部にレンズ１１４、その後部にカラービューファインダ１１６、その側部に液晶モニタ１１８等を有する。
【０００４】
液晶モニタ１１８は、ヒンジ部１２０によりカメラ本体１１２に対して回転自在に取り付けられている。対面撮影の場合、図５に示すように、液晶モニタ１１８を被写体に向けることにより、液晶モニタ１１８とカラービューファインダ１１６が同時点灯する。従って、写されている人がどのように撮影されているかを見ながら撮影することができる。
【０００５】
液晶モニタ１１８は、フレーム１２２に取り付けられた液晶パネル１２４、およびこの液晶パネル１２４の後部に配置されているバックライト１２６（図６参照）を有する。これにより、液晶パネル１２４は発光形の表示器となっている。
【０００６】
液晶パネル１２４は、一般に全白（透過率が最大の状態）にすると、液晶パネル１２４から出てくる光量が最大となり、あたかもビデオライトを照射しているときと同じ状態となる。この現象を積極的に利用することにより、このビデオカメラは、液晶モニタ１１８をビデオライトとして機能させるものである。
【０００７】
図６は主に液晶モニタ１１８の制御に係る部分の制御回路の構成を示す図である。この制御回路はカメラ本体１１２の内部に設けられる。また、この制御回路は、ＬＣＤドライブ回路１０１、制御マイコン１０２、撮影モード検出回路１０３、切替スイッチ１０４、電源回路１０５、発振回路１０６、インバータトランス１０７等を有する。この回路構成は、周知のものであり、切替スイッチ１０４により液晶モニタ１１８を全白に切り替え、ビデオライトとして利用する点に特徴を有する。
【０００８】
すなわち、切替スイッチ１０４をオンにすることにより、撮影モード検出回路１０３から制御マイコン１０２を通じてＬＣＤドライブ回路１０１に信号が入力され、液晶パネル１２４を全白にする。これにより、液晶パネル１２４からの光量が最大となり、液晶パネル１２４は被写体を照射し、ビデオライトの機能を果たす。
【０００９】
また、全白にした場合、液晶パネル１２４の光量をより増大させるため、バックライト１２６の輝度を上げる。切替スイッチ１０４のオンで制御マイコン１０２から電源回路１０５に制御信号が入力され、この電源回路１０５の電圧を増加（アップ）させる。これにより、バックライト１２６の照度を上げることができる。なお、バックライト１２６としては、直下形蛍光管、導光板付き蛍光管、導光板付きＬＥＤ等、種々の方式のものがあり、いずれの方式のものでも使用可能である。
【特許文献１】特開平１０−１２６６５５号公報
【発明の開示】
【発明が解決しようとする課題】
【００１０】
しかしながら、上記従来の撮像装置では、液晶パネルを全白（ビデオライト）に切り替えた場合、常にバックライトの輝度を上げているため、消費電力が増大し、バッテリの消費が早くなる。
【００１１】
また、周囲の明るさに応じた輝度設定を一切行うことができないので、最適なビデオライトを被写体に当てることができない。
【００１２】
そこで、本発明は、こうした従来の問題点を解決するものであり、ビデオライトモード時の消費電力を削減し、最適な輝度設定を行うことができる撮像装置及びその表示制御方法を提供することを目的としている。
【課題を解決するための手段】
【００１３】
上記目的を達成するために、本発明の撮像装置は、被写体を撮像する撮像装置であって、前記撮像された被写体の映像表示あるいは全白表示を行う表示手段と、前記表示手段をビデオライトとして使用するためのビデオライトモードを選択する選択手段と、前記ビデオライトモードが選択された場合、前記表示手段を全白表示に切り替える表示制御手段と、前記表示手段の輝度を調節する輝度調節手段と、前記被写体の輝度に関する情報に基づき、前記輝度調節手段を制御し、前記全白表示が行われている前記表示手段の輝度を変更させる輝度制御手段とを備えたことを特徴とする。
【００１４】
本発明の撮像装置の表示制御方法は、被写体を撮像する撮像装置の表示制御方法であって、前記撮像装置の表示手段が、前記撮像された被写体の映像表示あるいは全白表示を行う表示ステップと、前記撮像装置の選択手段が、前記表示手段をビデオライトとして使用するためのビデオライトモードを選択する選択ステップと、前記撮像装置の表示制御手段が、前記ビデオライトモードが選択された場合、前記表示手段を全白表示に切り替える表示制御ステップと、前記撮像装置の輝度調節手段が、前記表示手段の輝度を調節する輝度調節ステップと、前記撮像装置の輝度制御手段が、前記被写体の輝度に関する情報を基に、前記輝度調節手段を制御し、前記全白表示が行われている前記表示手段の輝度を変更させる輝度制御ステップとを有することを特徴とする。
【発明の効果】
【００１５】
本発明の請求項１に係る撮像装置によれば、被写体の輝度に関する情報に基づき、全白表示が行われている表示手段の輝度を変更させるので、表示手段を全白表示に切り替えた場合、周囲の明るさに応じて、表示手段の輝度を設定することができる。これにより、最適な輝度のビデオライトを被写体に当てることができる。また、周囲が明るい場合、表示手段の輝度を低下させるので、消費電力の削減を図ることができる。このように、ビデオライトモード時の消費電力を削減し、最適な輝度設定を行うことができる。
【００１６】
請求項２に係る撮像装置によれば、表示手段の輝度を利得に適した値に設定できる。請求項３に係る撮像装置によれば、利得の安定化を図ることができる。請求項４に係る撮像装置によれば、表示手段の輝度を絞りの量に適した値に設定できる。請求項５に係る撮像装置によれば、絞りの量の安定化を図ることができる。請求項６に係る撮像装置によれば、表示手段の輝度を、利得および絞りの量に適した、きめ細かな値に設定することができる。請求項７に係る撮像装置によれば、表示装置として一般に用いられる液晶パネルに適用することができる。
【発明を実施するための最良の形態】
【００１７】
本発明の撮像装置及びその表示制御方法の実施の形態について図面を参照しながら説明する。本実施形態の撮像装置はビデオカメラに適用される。
【００１８】
図１は実施の形態におけるビデオカメラの構成を示す斜視図である。ビデオカメラは、カメラ本体１の前部にレンズ２、その後部にカラービューファインダ６、その側部に液晶モニタ４等を有する。
【００１９】
液晶モニタ４は、再生映像や撮影映像を表示可能な液晶パネル５、およびこの液晶パネル５の後部に設けられた液晶バックライト３を有するバックライト方式の液晶表示装置である。液晶モニタ４は、ヒンジ部７によりカメラ本体１に取り付けられており、図中矢印Ａ方向に開閉自在であるとともに、図中矢印Ｂ方向に回動自在である。すなわち、液晶モニタ４（液晶パネル５）は、カメラ本体１に対し、ヒンジ部７に設けられた開閉軸を中心に開閉自在、かつこの開閉軸に対して直交するヒンジ部７に設けられた回動軸を中心に回動自在である。従って、液晶パネル５は被写体側あるいは撮影者側に反転自在である。なお、液晶モニタ４（液晶パネル５）は表示手段に相当する。また、ヒンジ部７の内部には、液晶モニタ４の開閉および反転を検出するスイッチが設けられている。
【００２０】
液晶モニタ４には、十字操作キー８が設けられている。十字操作キー８は、上下左右に操作自在であり、ビデオカメラの設定を表示画面上で行うためのメニュー操作時に使用される。操作キー９は、ビデオカメラの設定をＯＮ／ＯＦＦに操作するための切替スイッチである。
【００２１】
図２は主に液晶モニタ４の制御に係る部分の制御回路の構成を示す図である。この制御回路はカメラ本体１の内部に設けられる。また、この制御回路は、撮影した画像データに対し必要な信号処理を行う信号処理回路２２、およびカメラ制御マイコン１６を有する。信号処理回路２２には、レンズ２、絞り２５、撮像素子、ＣＤＳ回路、Ａ／Ｄ変換器等（図示せず）を有し、撮影した画像データを出力する撮像部２１が接続される。
【００２２】
カメラ制御マイコン１６は、信号処理回路２２に対してＡＧＣ制御信号を出力するとともに、撮像部２１に対してアイリス制御信号を出力する。この信号処理回路内には、映像信号を増幅する際の利得を制御する自動利得制御（ＡＧＣ）回路１５が設けられている。なお、ＡＧＣ回路１５は請求項に記載の利得制御回路に相当する。
【００２３】
また、制御回路は、液晶パネル５を駆動するＬＣＤドライブ回路１３、カラービューファインダ６を駆動するＣＶＦドライブ回路１４、およびビデオカメラを制御する制御マイコン１０を有する。また、制御回路は、ヒンジ部７内部に設けられたスイッチにより液晶モニタ４の開閉・反転状態を検出する開閉・反転検出回路１１および電源回路１２を有する。電源回路１２は液晶バックライト３に電源供給を行う。なお、電源回路１２は請求項に記載の輝度調節手段に相当する。また、制御マイコン１０には、前述したメニュー画面操作を行う十字操作キー８、および設定をＯＮ／ＯＦＦに切り替える操作キー９が接続される。
【００２４】
制御マイコン１０は、開閉・反転検出回路１１から入力された情報により、ＬＣＤドライブ回路１３およびＣＶＦドライブ回路１４を制御し、液晶パネル５およびカラービューファインダ６の点灯／消灯および表示画像を切り替える。また、制御マイコン１０は、十字操作キー８や操作キー９により入力された情報に従って、ＬＣＤドライブ回路１３を制御し、液晶パネル５の表示を全白表示あるいは映像表示に切り替える。
【００２５】
電源回路１２は、制御マイコン１０によって制御され、液晶バックライト３に供給する電流を変更し、液晶バックライト３の輝度を調節する。
【００２６】
上記構成を有する撮像装置の動作について説明する。ビデオカメラは、レンズ２を介して入射する被写体の光信号を、撮像部２１内の図示しない撮像素子（ＣＣＤ）により電気信号に変換して信号処理回路２２に入力させる。信号処理回路２２は、入力した信号に対し、ガンマ処理やディテール処理等を行って映像信号を得るとともに、明るさの検出信号を得る。明るさの検出信号はカメラ制御マイコン１６に供給される。
【００２７】
カメラ制御マイコン１６は、信号処理回路２２から出力される明るさの検出信号と、カメラ制御マイコン１６内に設定されたＡＧＣ目標値との誤差に基づき、所定の明るさに相当するＡＧＣ目標値となるように、ＡＧＣ回路１５内の利得を決定する。そして、カメラ制御マイコン１６は、この決定された利得のＡＧＣ制御信号によりＡＧＣ回路１５の利得を制御する。一般に、明るさの検出信号が、ある一定のレベル（カメラ制御マイコン１６内部のＡＧＣ目標値）となるように、ＡＧＣ回路の利得は制御される。すなわち、カメラ制御マイコン１６は、明るさの検出信号がＡＧＣ目標値に相当する明るさより低く（暗く）なると、ＡＧＣ回路の利得が大きくなるように制御する。
【００２８】
また、カメラ制御マイコン１６は、被写体の映像信号の輝度信号と、カメラ制御マイコン１６内に設定された基準輝度（基準の輝度信号）との誤差に基づき、被写体の輝度が基準輝度に一致するように、アイリス制御信号により絞り２５（アイリス）を制御する。
【００２９】
また、カメラ制御マイコン１６から出力されるＡＧＣ制御情報およびアイリス制御情報は、制御マイコン１０にデータ転送される。
【００３０】
また、映像信号は、信号処理回路２２で各種信号処理が行われると、液晶パネル５およびカラービューファインダ６に表示される。一方、撮影者が録画ボタンを押すことで、カメラ本体１の内部に装填された記録媒体に映像信号および音声信号が記録される。
【００３１】
また、前述したように、カメラ本体１には、撮影中の映像や再生した映像を表示するための液晶パネル５およびカラービューファインダ６が設けられている。液晶モニタ４は、ヒンジ部７により、図１の矢印Ａ方向に開閉自在かつ矢印Ｂ方向に回動自在である。
【００３２】
液晶パネル５が撮影者側を向いた正転状態では、液晶パネル５が点灯し、カラービューファインダ６は消灯している。従って、撮影者は液晶パネル５の映像を見ながら撮影する。
【００３３】
一方、液晶パネル５がカメラ本体１側に向いて収納されている収納状態では、液晶パネル５が消灯し、カラービューファインダ６は点灯している。従って、撮影者はカラービューファインダ６を覗きながら撮影する。
【００３４】
また、液晶パネル５が被写体側、つまりレンズ２と同方向に向いた対面状態では、液晶パネル５およびカラービューファインダ６は共に点灯している。液晶パネル５をビデオライトとして使用していない状態では、正転状態でも対面状態でも、液晶パネル５には映像信号に基づく映像が表示されている。
【００３５】
図３は液晶パネル５をビデオライトとして使用するビデオライトモード時の動作手順を示すフローチャートである。この動作プログラムは制御マイコン１０内のＲＯＭ（図示せず）に格納されており、制御マイコン１０内のＣＰＵによって実行される。
【００３６】
まず、撮影者は、カメラ本体１の電源を投入し、液晶パネル５を撮影者側に向けた正転状態の撮影モードで撮影を行うものとする。この撮影モードの場合、レンズ２から入射して光電変換された映像信号に基づく映像は、液晶パネル５に表示される。
【００３７】
この表示状態において、制御マイコン１０は、撮影者によって十字操作キー８がメニュー画面上で操作され、ビデオライトモードが設定されたか否かを判別する（ステップＳ１）。図４はビデオライトモード設定画面の一例を示す図である。メニュー画面の画像は、ＯＳＤ表示（オンスクリーンディスプレイ表示）によって映像に重畳され、表示される。そして、ビデオライトモード設定画面はメニュー画面から展開される。ビデオライトモードに設定する際、撮影者は、ビデオライトモード設定画面において、十字操作キー８を右に操作してカーソル８１を移動させ、「ＯＮ」を選択する。ステップＳ１で、ビデオライトモードが設定されない場合、制御マイコン１０はそのまま本処理を終了する。
【００３８】
一方、ビデオライトモードが設定された場合、制御マイコン１０は、十字操作キー８からのビデオライトモードＯＮ信号により、ＬＣＤドライブ回路１３を制御し、液晶パネル５を全白表示に切り替える（ステップＳ２）。さらに、このとき、制御マイコン１０は、ＣＶＦドライブ回路１４を制御し、カラービューファインダ６を強制的に点灯させる。このように、制御マイコン１０は、ビデオライトモード時、開閉・反転検出回路１１の検出結果に関係なく、カラービューファインダ６を強制的に点灯させる。点灯したカラービューファインダ６には、図４のビデオライトモード設定画面が表示される。
【００３９】
ユーザは、液晶モニタ４を矢印Ｂ（図１参照）のように回転させ、被写体側に、つまりレンズ２と同方向に向けることにより、液晶パネル５を、被写体を照らすためのビデオライトとして使用することができる。このとき、制御マイコン１０は、カラービューファインダ６のメニュー画面表示（ビデオライトモード設定画面表示）を消去する。このように、メニュー画面表示を消去することにより、カラービューファインダ６に表示された映像を見易くすることができる。
【００４０】
そして、制御マイコン１０は、カメラ制御マイコン１６からＡＧＣ制御情報およびアイリス制御情報を取得する（ステップＳ３）。制御マイコン１０は、取得したＡＧＣ制御情報およびアイリス制御情報を基に、電源回路１２を制御し、液晶バックライト３の輝度を可変させる（ステップＳ４）。すなわち、制御マイコン１０は、被写体が明るい場合、液晶バックライト３の輝度を低下させ、被写体が暗い場合、液晶バックライト３の輝度を上げる制御を行う。
【００４１】
ここで、ＡＧＣ制御情報およびアイリス制御情報を用いた液晶バックライト３の輝度制御としては、種々の方法が考えられる。例えば、ＡＧＣ制御情報およびアイリス制御情報から、単に被写体が明るいか暗いかを判断し、その判断結果に応じて液晶バックライト３の輝度を可変することが挙げられる。また、ＡＧＣ制御情報を基に、ＡＧＣ回路１５によって制御される利得が予め設定された所定値あるいは所定範囲内となるように、液晶バックライト３の輝度を可変することが挙げられる。また、アイリス制御情報を基に、絞り２５の量（例えば、開度）が予め設定された所定値あるいは所定範囲内となるように、液晶バックライト３の輝度を可変することが挙げられる。さらには、ＡＧＣ制御情報およびアイリス制御情報を基に、ＡＧＣ回路１５によって制御される利得および絞り２５の量のどちらか一方が優先的にあるいは両方が所定の範囲内に収まるように、液晶バックライト３の輝度を可変することが挙げられる。
【００４２】
撮影者が液晶パネル５を回転させて正転状態に戻すと、制御マイコン１０は、カラービューファインダ６にビデオライトモード設定画面（図４参照）を表示させる。制御マイコン１０は、十字操作キー８の操作によりビデオライトモードの設定が解除されたか否かを判別する（ステップＳ５）。
【００４３】
ここで、ビデオライトモードを解除する場合、撮影者はビデオライトモード設定画面上で十字操作キー８を左に操作してカーソル８１を移動させ、「ＯＦＦ」を選択する。ビデオライトモードの設定が解除されない場合、つまり「ＯＮ」が選択された状態のままの場合、制御マイコン１０は、ステップＳ２に戻り、同様の処理を行う。
【００４４】
一方、ビデオライトモードの設定が解除された場合、つまり撮影者が十字操作キー８を左に操作して「ＯＦＦ」を選択した場合、制御マイコン１０は、ビデオライトモードの解除動作を行う（ステップＳ６）。すなわち、制御マイコン１０は、十字操作キー８からのビデオライトモードＯＦＦ信号により、ＬＣＤドライブ回路１３を制御し、液晶パネル５の全白表示を終了させて映像信号を表示させる。さらに、このとき、制御マイコン１０は、ＣＶＦドライブ回路１４を制御し、カラービューファインダ６を消灯させる。ビデオカメラは、通常撮影時の通常状態に復帰する。この後、制御マイコン１０は本処理を終了する。
【００４５】
このように、本実施形態の撮像装置によれば、液晶パネルを全白表示に切り替えた場合、周囲の明るさに応じて、バックライトの輝度を設定することができる。これにより、最適な輝度のビデオライトを被写体に当てることができる。また、周囲が明るい場合、バックライトの輝度を低下させるので、消費電力の削減を図ることができる。従って、ビデオライトモード時の消費電力を削減し、最適な輝度設定を行うことができる。
【００４６】
また、液晶パネルの輝度を利得に適した値に設定でき、利得の安定化を図ることができる。また、液晶パネルの輝度を絞りの量に適した値に設定でき、絞りの量（例えば、開度）の安定化を図ることができる。さらに、液晶パネルの輝度を、利得および絞りの量に適した、きめ細かな値に設定することができる。また、表示装置として一般に用いられる液晶パネルに適用することができる。
【００４７】
なお、本発明は、上記実施形態の構成に限られるものではなく、特許請求の範囲で示した機能、または本実施形態の構成が持つ機能が達成できる構成であればどのようなものであっても適用可能である。
【００４８】
例えば、前述したように、上記実施形態では、ＡＧＣ制御情報およびアイリス制御情報の両方を用いてバックライトの輝度制御を行ったが、どちらか一方を用いてバックライトの輝度制御を行ってもよく、同様の効果が得られる。
【００４９】
また、上記実施形態では、表示装置として、バックライト方式のＬＣＤパネルを用いているが、有機ＥＬディスプレイなどの自発光型の表示装置を用いてもよい。その他、表面電界ディスプレイ（ＳＥＤ）、プラズマディスプレイなどを用いてもよい。
【００５０】
また、上記実施形態の撮像装置では、液晶パネルがカメラ本体の側面に対し、開閉かつ回動自在に設けられていたが、このような構造に限られるものではないことは勿論である。例えば、カメラ本体の前面と背面とに液晶パネルが着脱自在に取り付けられる構造の撮像装置であってもよい。この場合、液晶パネルをカメラ本体の前面に取り付けることで、ビデオライトとして使用可能である。
【００５１】
また、上記実施形態では、撮像装置としてビデオカメラに適用された場合を示したが、デジタルスチルカメラに適用されてもよいことは勿論である。
【図面の簡単な説明】
【００５２】
【図１】実施の形態におけるビデオカメラの構成を示す斜視図である。
【図２】主に液晶モニタ４の制御に係る部分の制御回路の構成を示す図である。
【図３】液晶パネル５をビデオライトとして使用するビデオライトモード時の動作手順を示すフローチャートである。
【図４】ビデオライトモード設定画面の一例を示す図である。
【図５】従来の撮像装置の一例としてビデオカメラの外観を示す斜視図である。
【図６】主に液晶モニタ１１８の制御に係る部分の制御回路の構成を示す図である。
【符号の説明】
【００５３】
１  カメラ本体
３  液晶バックライト
４  液晶モニタ
５  液晶パネル
６  カラービューファインダ（ＣＶＦ）
１０  制御マイコン
１５  ＡＧＣ回路
１６  カメラ制御マイコン
２２  信号処理回路
２５  絞り
【図１】
2009124564.tif 000003
【図２】
2009124564.tif 000004
【図３】
2009124564.tif 000005
【図４】
2009124564.tif 000006
【図５】
2009124564.tif 000007
【図６】
2009124564.tif 000008